(57)【要約】【課題】使用者が、蓋体を開閉する際に、蓋体と本体部との間に指を挟むことがなく、安全に使用できる炊飯器を提供する。【解決手段】炊飯器は、上面を開口した内釜収納部を有する本体部と、内釜収納部に着脱自在に装着された内釜と、本体部に回動自在に取り付けられて本体部の上面開口を開閉可能に覆う蓋体と、蓋体を本体部に回動自在に連結するヒンジ機構部と、本体部の対向する側面に取り付けられる回転支点部、及び回転支点部を繋ぐ持ち手部を有し、蓋体の上方で起立する起立位置と本体部の背面側で倒伏する倒伏位置との間で起伏するように回動自在なハンドルと、を備えている。ハンドルは、倒伏位置において本体部と蓋体との間を跨がるように持ち手部が配置されている。【選択図】図３
2018038457.tif 000002
【特許請求の範囲】
【請求項１】
上面を開口した内釜収納部を有する本体部と、
前記内釜収納部に着脱自在に装着された内釜と、
前記本体部に回動自在に取り付けられて前記本体部の上面開口を開閉可能に覆う蓋体と、
前記蓋体を前記本体部に回動自在に連結するヒンジ機構部と、
前記本体部の対向する側面に取り付けられる回転支点部、及び前記回転支点部を繋ぐ持ち手部を有し、前記蓋体の上方で起立する起立位置と前記本体部の背面側で倒伏する倒伏位置との間で起伏するように回動自在なハンドルと、を備え、
前記ハンドルは、倒伏位置において前記本体部と前記蓋体との間を跨がるように前記持ち手部が配置されている、炊飯器。
【請求項２】
前記ハンドルの前記回転支点部には、起立位置の前記ハンドルを倒伏させるように付勢する付勢部材が設けられている、請求項１に記載の炊飯器。
【請求項３】
前記ハンドルは、起立位置の前記ハンドルを倒伏させるように重心が倒伏側に偏心されている、請求項１に記載の炊飯器。
【請求項４】
前記蓋体は、閉状態から開状態に回動する際に、前記ヒンジ機構部で連結された側の端部を前記ハンドルの前記持ち手部に当接させて回動する構成であり、
前記本体部の背面側には、前記ハンドルが前記蓋体を当接させた状態で倒伏位置に回動する勢いを緩衝させる緩衝部材が設けられている、請求項１〜３のいずれか一項に記載の炊飯器。
【発明の詳細な説明】
【技術分野】
【０００１】
本発明は、米等の被加熱物を入れた内釜を加熱調理する炊飯器に関するものである。
【背景技術】
【０００２】
従来、炊飯器は、例えば特許文献１のように、上面を開口した内釜収納部を有する本体部と、本体部の上面開口を開閉可能に覆い、本体部にヒンジ機構部で連結されて回動自在に取り付けられた蓋体と、本体部の対向する側面に回動自在に取り付けられたハンドルと、を備えた構成が知られている。このような炊飯器では、本体部の背面側の側面であってヒンジ機構部の下方となる箇所に、内方へ凹ませた逃がし部を設けて、開状態とした蓋体の下端部と本体部の上面との接触を回避させる場合がある。
【先行技術文献】
【特許文献】
【０００３】
【特許文献１】特開２００９−２９１２６１号公報
【発明の概要】
【発明が解決しようとする課題】
【０００４】
特許文献１に開示された炊飯器に、開状態とした蓋体の下端部と本体部の上面との接触を回避するための逃がし部を設けると、逃がし部が常に露出した状態となる。そのため、このような炊飯器では、使用者がハンドルを回転させて倒伏させた後、逃がし部に指を当てたまま誤って蓋体を開状態にすると、蓋体の端部と本体部の側面との間に使用者の指を挟む虞がある。
【０００５】
本発明に係る炊飯器は、上記のような課題を解決するためになされたものであり、使用者が、蓋体を開閉する際に、蓋体と本体部との間に指を挟むことがなく、安全に使用できる炊飯器を提供することを目的とする。
【課題を解決するための手段】
【０００６】
本発明に係る炊飯器は、上面を開口した内釜収納部を有する本体部と、前記内釜収納部に着脱自在に装着された内釜と、前記本体部に回動自在に取り付けられて前記本体部の上面開口を開閉可能に覆う蓋体と、前記蓋体を前記本体部に回動自在に連結するヒンジ機構部と、前記本体部の対向する側面に取り付けられる回転支点部、及び前記回転支点部を繋ぐ持ち手部を有し、前記蓋体の上方で起立する起立位置と前記本体部の背面側で倒伏する倒伏位置との間で起伏するように回動自在なハンドルと、を備え、前記ハンドルは、倒伏位置において前記本体部と前記蓋体との間を跨がるように前記持ち手部が配置されているものである。
【発明の効果】
【０００７】
本発明に係る炊飯器によれば、ハンドルの持ち手部が、倒伏位置において本体部と蓋体との間を跨がるように配置されているので、ハンドルを倒伏させるとヒンジ機構部の近傍に位置する本体部の側面及び上面を持ち手部で覆うことができる。よって、本発明に係る炊飯器は、ハンドルを倒伏させた状態において、使用者がヒンジ機構部の近傍に位置する本体部の側面及び上面に指を当てることができないので、蓋体を開閉する際に、蓋体と本体部との間に指を挟むことがなく、安全に使用できる。
【図面の簡単な説明】
【０００８】
【図１】本発明の実施の形態１に係る炊飯器を前面側から見た斜視図である。
【図２】本発明の実施の形態１に係る炊飯器の側面図である。
【図３】本発明の実施の形態１に係る炊飯器を背面側から見た斜視図である。
【図４】本発明の実施の形態１に係る炊飯器であって、蓋体が開いた状態の側面図である。
【図５】本発明の実施の形態１に係る炊飯器であって、蓋体が開いた状態を背面側から見た斜視図である。
【図６】本発明の実施の形態１に係る炊飯器であって、本体部のカバーを外して内部構造を示した斜視図である。
【図７】図６で指示したＸ線矢視要部拡大図である。
【図８】本発明の実施の形態１に係る炊飯器の付勢部材の機能を説明した要部拡大図である。
【図９】図６で指示したＹ線矢視要部拡大図である。
【図１０】本発明の実施の形態１に係る炊飯器であって、ハンドルの重心を倒伏側に偏心させた構成を示した側面図である。
【図１１】従来の炊飯器を背面側から見た斜視図である。
【図１２】従来の炊飯器であって、蓋体が開いた状態の側面図である。
【図１３】従来の炊飯器であって、蓋体が開いた状態を背面側から見た斜視図である。
【図１４】本発明の実施の形態２に係る炊飯器を背面側から見た斜視図である。
【図１５】本発明の実施の形態２に係る炊飯器の側面図である。
【図１６】本発明の実施の形態２に係る炊飯器であって、蓋体が開く途中段階を示した側面図である。
【図１７】本発明の実施の形態２に係る炊飯器であって、蓋体が開く途中段階を背面側から見た斜視図である。
【図１８】本発明の実施の形態２に係る炊飯器であって、蓋体が開く途中段階の要部拡大図である。
【図１９】本発明の実施の形態２に係る炊飯器であって、蓋体が開いた状態を背面側から見た斜視図である。
【発明を実施するための形態】
【０００９】
以下、本発明の実施の形態に係る炊飯器について図面を参照して説明する。なお、この図面の形態によって本発明が限定されるものではない。また、以下の図面では各構成部材の大きさの関係が実際のものとは異なる場合がある。
【００１０】
実施の形態１．
図１は、本発明の実施の形態１に係る炊飯器を前面側から見た斜視図である。図２は、本発明の実施の形態１に係る炊飯器の側面図である。図３は、本発明の実施の形態１に係る炊飯器を背面側から見た斜視図である。図４は、本発明の実施の形態１に係る炊飯器であって、蓋体が開いた状態の側面図である。図５は、本発明の実施の形態１に係る炊飯器であって、蓋体が開いた状態を背面側から見た斜視図である。図１〜図５に示す本実施の形態に係る炊飯器１００は、被加熱物（例えば米および水）を加熱して炊き上げる家庭用炊飯器である。炊飯器１００は、図１〜図５に示すように、上面を開口した内釜収納部１０を内部に有する本体部１と、内釜収納部１０に着脱自在に装着された内釜４と、ヒンジ機構部６によって本体部１に回動自在に連結されて本体部１の上面開口を開閉可能に覆う蓋体２と、を備えている。また、炊飯器１００は、使用者が手で持って炊飯器１００を運搬するためのハンドル３を備えている。
【００１１】
本体部１は、外観が有底筒状とされ、内釜４を内部に着脱自在に装着する内釜収納部１０と、内釜４を誘導加熱する加熱コイル（図示は省略）と、内釜４の温度を検知する鍋底温度センサー（図示は省略）と、内釜４の胴部を加熱させる側面ヒーター（図示は省略）と、操作表示部５と、を有する。本体部１は、内蔵された制御部によって、各部および各装置を駆動制御して炊飯工程を実行する。
【００１２】
本体部１の前部側には、蓋体２の開閉を行う蓋開閉ボタン１１が設けられている。使用者は、蓋開閉ボタン１１を押すことで、蓋体２の閉状態が解除され、本体部１を開口させることができる。
【００１３】
内釜４は、図４及び図５に示すように、有底円筒形状を有し、誘導加熱により発熱する炭素材で構成される。なお、内釜４は、例えばセラミック等の非金属材料で形成される容器（いわゆる土鍋）またはアルミ等の金属鋳造容器であっても良い。内釜４の内部には、被加熱物である米および水が収容される。内釜４は、開口縁に沿って外側へ向かって突出するフランジ部が全周にわたって設けられている。
【００１４】
操作表示部５は、蓋体２の上面部に配置される。操作表示部５は、使用者からの操作入力を受け付けるとともに、操作入力に関する情報および炊飯器１００の動作状態を表示する。なお、図１〜図５に示した操作表示部５の具体的構成や配置は一例であり、本発明を限定するものではない。例えば、操作表示部５は、本体部１の前面に設けてもよい。
【００１５】
制御部は、鍋底温度センサーおよび操作表示部５からの出力に基づいて、加熱部に通電する高周波電流の制御など、炊飯器１００の動作全般を制御する。制御部は、その機能を実現する回路デバイスのようなハードウェアで構成することができ、またはマイコンやＣＰＵのような演算装置と、その上で実行されるソフトウェアとにより構成することもできる。制御部は、制御基板に実装され、内釜収納部１０に固定される。
【００１６】
蓋体２は、外蓋２０と、内蓋２１とを有している。外蓋２０は、蓋体２の上部を構成し、内釜４に対向する部分である外蓋２０の下部には、係止材を介して、内蓋２１が取り付けられている。蓋体２は、外蓋２０の一端部がヒンジ機構部６によって本体部１の上部に連結されている。ヒンジ機構部６は、ヒンジ軸と、ヒンジバネとを備えている。蓋体２は、ヒンジバネによって、本体部１から離れて本体部１の開口を開く方向に付勢されている。そして、蓋体２は、閉じた状態で蓋開閉ボタン１１が押下されると、ヒンジバネの付勢力により、ヒンジ軸を中心として回転し、本体部１から離れる。これにより、本体部１は、開口が開かれる。本体部１の背面側の側面であって、ヒンジ機構部６の下方となる箇所には、開状態となるように起立させた蓋体２の下端部と本体部１の上面との接触を回避させるために、内方へ凹ませた逃がし部７が形成されている（例えば図１０〜図１３を参照）。
【００１７】
また、蓋体２の内部であって、内蓋２１の上面側には、蓋体２に着脱自在に装着された図示省略の排気カートリッジが設けられている。排気カートリッジは、蓋体２の上面と面一になるように形成された蒸気口２２を備えている。
【００１８】
ハンドル３は、使用者が手で持って炊飯器１００を運搬するために設けられている。ハンドル３は、本体部１の対向する側面に取り付けられる回転支点部３０と、左右の回転支点部３０を繋ぐ持ち手部３１とを有している。ハンドル３は、蓋体２の上方で起立する起立位置と、本体部１の背面側で倒伏する倒伏位置との間で起伏するように回動自在に設けられている。回転支点部３０は、本体部１の側面上部の略前後中央に軸支し、ハンドル３の回転方向を蓋体２の回動方向と一致させている。使用者は、炊飯器１００を運搬する際に、ハンドル３の軸支点のほぼ直上に位置するようにハンドル３を回転させて持ち上げ、ハンドル３の持ち手部３１のみを持って炊飯器１００を運搬することができる。また、使用者は、蓋体２を開状態とする際に、ハンドル３の軸支点のほぼ水平に位置するようにハンドル３を回転させて倒伏させることで、蓋体２を開状態とすることができる。
【００１９】
実施の形態１の炊飯器１００のハンドル３は、図２〜図５に示すように、倒伏位置において本体部１と蓋体２との間を跨がるように持ち手部３１が配置されており、倒伏させたハンドル３によって、ヒンジ機構部６の近傍に位置する本体部１の側面及び上面を覆っている。ハンドル３の持ち手部３１は、図２で示した幅寸Ｗを、逃がし部７に使用者の指が入らない程度の大きさで構成している。また、図１〜図５に示したハンドル３の形状は、図２に示す側面方向から見ると、ハンドル３を倒伏させた状態において、持ち手部３１を回転支点部３０よりも若干上方に位置させたＬ字状としている。但し、ハンドル３の形状は、図示した形状に限定されない。ハンドル３を倒伏させた状態において、本体部１と蓋体２との間を跨がるように持ち手部３１が配置されていれば良く、種々の態様で実施できる。
【００２０】
図６は、本発明の実施の形態１に係る炊飯器であって、本体部のカバーを外して内部構造を示した斜視図である。図７は、図６で指示したＸ線矢視要部拡大図である。図８は、本発明の実施の形態１に係る炊飯器の付勢部材の機能を説明した要部拡大図である。炊飯器１００は、ハンドル３が起立させた状態から前面側に倒れると、蓋体２が損傷する虞がある。そこで、ハンドル３には、図６〜図８に示したように、一方の回転支点部３０の軸部３２に、起立位置のハンドル３を背面側に倒伏させるように付勢する付勢部材として板ばね３４が設けられている。板ばね３４は、ハンドル３を起立させると、ハンドル３に連動して回転する。ハンドル３は、図８に示すように、板ばね３４が目標の角度に到達して壁状の規制部材３５に接触すると反発力が生じる。そして、ハンドル３は、使用者が手を離すと、板ばね３４の付勢で起立させた状態から自然に倒伏させることができる。よって、炊飯器１００は、使用者がハンドル３を起立させて持ち運びに使用する以外、常にハンドル３を倒伏させた状態とすることができる。なお、付勢部材は、図示した板ばね３４に限定されない。付勢部材は、起立位置のハンドル３を背面側に倒伏させるように付勢できる構成であれば、他の構成でもよい。
【００２１】
図９は、図６で指示したＹ線矢視要部拡大図である。図９に示すように、ハンドル３の回転支点部３０には、ロータリーダンパー３３が設けられている。このようにロータリーダンパー３３を設けることで、付勢部材３４により勢いよく倒伏されるハンドル３にブレーキをかけることができ、ハンドル３や本体部１に加わる衝撃を抑えることができる。
【００２２】
図１０は、本発明の実施の形態１に係る炊飯器であって、ハンドルの重心を倒伏側に偏心させた構成を示した側面図である。図１０に示すように、ハンドル３は、起立位置のハンドル３を倒伏させるように重心を倒伏側に偏心させた構成としてもよい。図１０に示した炊飯器１００の場合は、一例としてハンドル３の回転支点部３０に、背面側に突き出す突起部３６を設けて、ハンドル３の重心を倒伏側に偏心させている。したがって、ハンドル３は、使用者が手を離すと、起立させた状態から自然と倒伏させることができる。なお、突起部３６は、ハンドル３の回転の支点である回転支点部３０に設けることが望ましいが、持ち手部３１に設けてもよく、ハンドル３の重心を倒伏側に偏心させることができれば、どこに設けてもよい。
【００２３】
ここで、従来の炊飯器１０１を図１１〜１３に基づいて説明する。図１１は、従来の炊飯器を背面側から見た斜視図である。図１２は、従来の炊飯器であって、蓋体が開いた状態の側面図である。図１３は、従来の炊飯器であって、蓋体が開いた状態を背面側から見た斜視図である。従来の炊飯器１０１では、図１１〜図１３に示すように、倒伏させたハンドル３の持ち手部３１の位置が、逃がし部７及びヒンジ機構部６の近傍に位置する本体部１の上面よりも下方となるように構成されている。つまり、従来の炊飯器１０１では、ハンドル３を倒伏させた状態で、逃がし部７及びヒンジ機構部６の近傍における本体部１の上面が露出している。そのため、使用者が、ハンドル３を回転させて倒伏させた後（図１１を参照）、逃がし部７に指を当てたまま誤って蓋体２を開状態にすると（図１２及び図１３を参照）、蓋体２の端部と本体部１の側面との間に指を挟む虞がある。また、使用者は、蓋体２が開状態である場合に、ヒンジ機構部６の近傍に位置する本体部１の上面に指を当てたまま誤って蓋体２を閉状態にすると（図１１を参照）、蓋体２の下面と本体部１の上面との間に指を挟む虞がある。
【００２４】
そこで、実施の形態１の炊飯器１００のハンドル３では、倒伏位置において本体部１と蓋体２とを跨がるように持ち手部３１が配置されている。つまり、この炊飯器１００は、倒伏させたハンドル３によって、ヒンジ機構部６の近傍に位置する本体部１の側面及び上面を覆うことができるので、使用者が逃がし部７及びヒンジ機構部６の近傍に位置する本体部１の上面に指を当てることができない。よって、この炊飯器１００は、使用者が、蓋体２を開閉する際に、蓋体２と本体部１との間に指を挟むことがなく、安全に使用できる。
【００２５】
また、実施の形態１の炊飯器１００は、ハンドル３の回転支点部３０に、起立させたハンドル３を倒伏させるように働く付勢部材として板ばね３４が設けられているので、ハンドル３を起立させた状態から自然に本体部１の背面側に倒伏させることができる。よって、この炊飯器１００は、使用者がハンドル３を起立させて持ち運びに使用する以外、常にハンドル３を倒伏させた状態とすることができるので、蓋体２と本体部１との間に使用者の指を挟む事態を効果的に防止することができる。また、この炊飯器１００は、蓋体２を開ける際に、使用者がわざわざハンドル３を倒伏させる必要がないので、使い勝手に優れている。
【００２６】
実施の形態２．
次に、本発明の実施の形態２に係る炊飯器を図１４〜１９に基づいて説明する。図１４は、本発明の実施の形態２に係る炊飯器を背面側から見た斜視図である。図１５は、本発明の実施の形態２に係る炊飯器の側面図である。図１６は、本発明の実施の形態２に係る炊飯器であって、蓋体が開く途中段階を示した側面図である。図１７は、本発明の実施の形態２に係る炊飯器であって、蓋体が開く途中段階を背面側から見た斜視図である。図１８は、本発明の実施の形態２に係る炊飯器であって、蓋体が開く途中段階の要部拡大図である。図１９は、本発明の実施の形態２に係る炊飯器であって、蓋体が開いた状態を背面側から見た斜視図である。なお、実施の形態１で説明した炊飯器１００と同一の構成について、同一の符号を付して、その説明を適宜省略する。
【００２７】
実施の形態２の炊飯器１０２は、図１４〜図１９に示すように、蓋体２がヒンジ機構部６の付勢によって閉状態から開状態に回動する際に、ヒンジ機構部６で連結された側の端部をハンドル３の持ち手部３１に当接させて蓋体２を回動させる構成である。本体部１の背面側には、ハンドル３が蓋体２に当接させた状態で倒伏位置に向かって回動する勢いを緩衝させる緩衝部材８が設けられている。
【００２８】
緩衝部材８は、一例としてシリンダーダンパーである。シリンダーダンパーは、シリンダー８０と、シリンダー８０内を上下方向にスライド移動するピストン８１と、ピストン８１を覆う上部カバー材８２と、シリンダー８０を収納する下部カバー材８３とで構成されている。なお、図１４及び図１５は、ピストン８１を上部カバー材８２で覆った状態を示し、図１６〜図１９では、上部カバー材８２を取り外してシリンダーダンパーの内部構造を分かりやすく示している。実施の形態２の炊飯器１０２は、図１４及び図１５に示したピストン８１を上部カバー材８２で覆った状態が通常の状態である。
【００２９】
ピストン８１は、蓋体２が開状態（図１９を参照）となった位置から更にシリンダー８０内を下方へ移動できるように余裕を持たせた構成としている。使用者が、仮に誤って指を挟むようなことがあっても、蓋体２及びハンドル３を回動できるようにするためである。上部カバー材８２は、上面が開口した下部カバー材８３の内部に下部が挿入されて、ピストン８１の上下移動と共に上下方向にスライド移動する。下部カバー材８３は、本体部１の背面側に固定されている。
【００３０】
実施の形態２の炊飯器１０２によれば、蓋体２がヒンジ機構部６の付勢によって閉状態から開状態となる際に、蓋体２が開く途中段階（図１６〜図１８を参照）で、蓋体２のヒンジ機構部６で連結された側の端部がハンドル３の持ち手部３１に当接する。そして、蓋体２が当接した状態のハンドル３は、持ち手部３１が緩衝部材８の上部カバー材８２に衝突し、そのまま倒伏位置まで回動される。つまり、実施の形態２の炊飯器１０２は、緩衝部材８によって勢いが緩衝されたハンドル３により、閉状態から開状態に回動する蓋体２の勢いを抑制することができる。よって、実施の形態２の炊飯器１０２は、使用者が逃がし部７に指を当てることがあっても、ゆっくり回動する蓋体２によって指を挟む事態を防止することができるので、安全に使用することができる。
【００３１】
なお、緩衝部材８は、図示したシリンダーダンパーに限定されない。緩衝部材８は、蓋体２に当接された状態で倒伏位置に向かって回動するハンドル３の勢いを緩衝させることができれば、他の構成でもよい。
【００３２】
以上に本発明を実施の形態に基づいて説明したが、本発明は上述した実施の形態の構成に限定されるものではない。例えば、例えば、本体部１の形状は、円筒形状に限定されるものではなく立方体または直方体であっても良い。要するに、いわゆる当業者が必要に応じてなす種々なる変更、応用、利用の範囲をも本発明の要旨（技術的範囲）に含むことを念のため申し添える。
【符号の説明】
【００３３】
１  本体部、２  蓋体、３  ハンドル、４  内釜、５  操作表示部、６  ヒンジ機構部、７  逃がし部、８  緩衝部材、１０  内釜収納部、１１  蓋開閉ボタン、２０  外蓋、２１  内蓋、２２  蒸気口、３０  回転支点部、３１  持ち手部、３２  軸部、３３  ロータリーダンパー、３４  板ばね（付勢部材）、３５  規制部材、３６  突起部、８０  シリンダー、８１  ピストン、８２  上部カバー材、８３  下部カバー材、１００〜１０２  炊飯器。
【図１】
2018038457.tif 000003
【図２】
2018038457.tif 000004
【図３】
2018038457.tif 000005
【図４】
2018038457.tif 000006
【図５】
2018038457.tif 000007
【図６】
2018038457.tif 000008
【図７】
2018038457.tif 000009
【図８】
2018038457.tif 000010
【図９】
2018038457.tif 000011
【図１０】
2018038457.tif 000012
【図１１】
2018038457.tif 000013
【図１２】
2018038457.tif 000014
【図１３】
2018038457.tif 000015
【図１４】
2018038457.tif 000016
【図１５】
2018038457.tif 000017
【図１６】
2018038457.tif 000018
【図１７】
2018038457.tif 000019
【図１８】
2018038457.tif 000020
【図１９】
2018038457.tif 000021